(57)【要約】  リソース管理ユニットおよびリソースブロック（例えばサブキャリア、タイムスロット、直交コードなど）を有する複数のセルを含む無線通信システムにおいて、無線送信／受信ユニット（ＷＴＲＵ）に対してセルおよびリソースブロックを割り当てるための方法および装置が開示される。ＷＴＲＵは、現在、セルのうち特定の１つと関連づけられている。ＷＴＲＵと、この特定のセルに隣接する諸セルの間の経路損失が求められる。次いで、特定のセルに隣接する各セルでの各リソースブロックに関してセル間干渉の平均レベルが求められる。次いで、アップリンク上でＷＴＲＵの保証されたビットレートに対応するために信号対混信比（ＳＩＲ）が求められる。
2010504026.tif 000002
【特許請求の範囲】
【請求項１】
リソース管理ユニットおよびリソースブロックを有する複数のセルを含む無線通信システムにおいて無線送信／受信ユニット（ＷＴＲＵ）に対してセルおよびリソースブロックを割り当てる方法であって、前記ＷＲＴＵは現在前記複数のセルのうち特定の１つに関連づけられており、前記方法は、
（ａ）前記ＷＴＲＵと前記特定のセルに隣接するセルの間の経路損失を求めるステップと、
（ｂ）前記ＷＴＲＵによって個々の隣接セルおよびリソースブロックで生成されたセル間干渉の平均レベルを求めるステップと、
（ｃ）アップリンク上で前記ＷＴＲＵの保証されたビットレートに対応するのに必要な信号対混信比（ＳＩＲ）を求めるステップとを含むことを特徴とする方法。
【請求項２】
ステップ（ａ）は、
前記ＷＴＲＵが、それぞれのセルによって既知のリソースブロックに関して既知の送信パワーで伝送された一定の無線標識信号の受信された信号の強度を測定するステップと、
前記ＷＴＲＵが、前記リソース管理ユニットに前記受信信号の強度を伝達するステップとをさらに含むことを特徴とする請求項１に記載の方法。
【請求項３】
前記ＷＴＲＵが前記リソース管理ユニットに平均の受信信号強度を伝達することを特徴とする請求項２に記載の方法。
【請求項４】
ステップ（ａ）は、
前記ＷＴＲＵが、一定の留保されたリソースブロックに関して指定の送信パワーでプローブ信号を伝送するステップをさらに含むことを特徴とする請求項１に記載の方法。
【請求項５】
ステップ（ａ）は、
前記ＷＴＲＵが、前記プローブ信号の前記受信された信号強度の測定値を受け取るステップをさらに含むことを特徴とする請求項４に記載の方法。
【請求項６】
ステップ（ｂ）は、
各リソースブロックに関して候補セルによる前記セル間干渉の平均レベルを測定するステップをさらに含むことを特徴とする請求項１に記載の方法。
【請求項７】
要求に応じて前記セル間干渉の平均レベルの前記測定が行われることを特徴とする請求項６に記載の方法。
【請求項８】
前記セル間干渉の平均レベルの前記測定が周期的に行われることを特徴とする請求項６に記載の方法。
【請求項９】
ステップ（ｃ）は、
前記ＳＩＲに基づいて、前記ＷＴＲＵの最大送信パワーを超えるかどうか、あるいは候補のセル／リソースブロックに関してセル間干渉の最大レベルを超えるかどうか、判断するステップをさらに含むことを特徴とする請求項１に記載の方法。
【請求項１０】
前記リソース管理ユニットが、各候補の割当てのために、隣接したセルでリソースブロックに関するセル間干渉の予期される増加を求めるステップをさらに含むことを特徴とする請求項１に記載の方法。
【請求項１１】
前記必要なＳＩＲ、候補セルおよびリソースブロックに関するセル間干渉の前記平均レベルＩcandならびに前記候補セルへの前記経路損失Ｌcandを基に、次式に基づいて前記ＷＴＲＵの必要な送信パワー（ＴｘＰｏｗｅｒ）を推定するステップをさらに含むことを特徴とする請求項１０に記載の方法。
ＴｘＰｏｗｅｒ（ｄＢｍ）＝ＳＩＲ（ｄＢ）＋Ｌcand（ｄＢ）＋Ｉcand（ｄＢｍ）
【請求項１２】
前記必要な送信パワーおよび前記ＷＴＲＵと前記隣接セルＬi間の前記経路損失に基づいて、個々の隣接セルｉおよびリソースブロックｊで前記ＷＴＲＵによって生成されたセル間干渉ΔＩiの結果のレベルを次式で計算するステップをさらに含むことを特徴とする請求項１１に記載の方法。
ΔＩi（ｄＢｍ）＝ＴｘＰｏｗｅｒ（ｄＢｍ）−Ｌi（ｄＢ）
【請求項１３】
先在するセル間干渉レベルに基づいて、各セルで各リソースブロックに関してセル間干渉Ｉij’／Ｉijの相対的増加を次式で推定するステップをさらに含むことを特徴とする請求項１２に記載の方法。
Ｉij’／Ｉij（ｄＢ）＝１０ｌｏｇ１０［１＋ΔＩi（ｍＷ）／Ｉij（ｍＷ）］
【請求項１４】
前記リソース管理ユニットが各候補セルおよびリソースブロックの割当てのためにセル間干渉の前記推定された相対的増加の組を推定した後に、推定されるセル間干渉の相対的増加の合計を最小化することを基に、選択された割当てが求められることを特徴とする請求項１３に記載の方法。
【請求項１５】
前記リソース管理ユニットが各候補セルおよびリソースブロックの割当てのためにセル間干渉の前記推定された相対的増加の組を推定した後に、推定されるセル間干渉の相対的増加の中の最大値を最小化することを基に、選択された割当てが求められることを特徴とする請求項１３に記載の方法。
【請求項１６】
前記リソース管理ユニットが各候補セルおよびリソースブロックの割当てのためにセル間干渉の前記推定された相対的増加の組を推定した後に、推定されるセル間干渉の相対的増加の重みづけされた合計を最小化することを基に、選択された割当てが求められることを特徴とする請求項１３に記載の方法。
【請求項１７】
複数のセルおよびリソースブロックを管理するためのリソース管理ユニットであって、
（ａ）ｉ）複数のセルのそれぞれによって既知の送信パワーで伝送された一定の無線標識セルの既知のリソースブロックに関する受信信号の強度の測定値、およびｉｉ）各リソースブロックに関して候補セルによって行われたセル間干渉の測定値を受信するための受信機と、
（ｂ）アップリンク上で前記ＷＴＲＵの保証されたビットレートに対応するのに必要な信号対混信比（ＳＩＲ）を推定するためのプロセッサとを備えることを特徴とするリソース管理ユニット。
【請求項１８】
前記ＷＴＲＵが前記リソース管理ユニットに平均の受信信号強度を伝達することを特徴とする請求項１７に記載のリソース管理ユニット。
【請求項１９】
隣接するセルが前記リソース管理ユニットに前記受信信号強度の測定値を伝達することを特徴とする請求項１７に記載のリソース管理ユニット。
【請求項２０】
前記隣接するセルが平均の受信信号強度を伝達することを特徴とする請求項１９に記載のリソース管理ユニット。
【請求項２１】
各リソースブロックに関して前記候補セルによる前記セル間干渉の平均レベルが測定されることを特徴とする請求項１７に記載のリソース管理ユニット。
【請求項２２】
要求に応じて前記セル間干渉の平均レベルの前記測定が行われることを特徴とする請求項２１に記載のリソース管理ユニット。
【請求項２３】
前記セル間干渉の平均レベルの前記測定が周期的に行われることを特徴とする請求項２１に記載のリソース管理ユニット。
【請求項２４】
前記プロセッサは、前記ＳＩＲ推定に基づいて、前記ＷＴＲＵの最大送信パワーが超えられるか、あるいは候補のセル／リソースブロックに関してセル間干渉の最大レベルが超えられるか判断することを特徴とする請求項１７に記載のリソース管理ユニット。
【請求項２５】
前記プロセッサは、各候補の割当てのために、隣接するセルでリソースブロックに関してセル間干渉の予期される増加を求めることを特徴とする請求項１７に記載のリソース管理ユニット。
【請求項２６】
前記プロセッサは、前記必要なＳＩＲ、前記候補セルおよびリソースブロックに関して前記セル間干渉の平均レベルＩcandならびに前記候補セルへの前記経路損失Ｌcandを基に、次式に基づいて前記ＷＴＲＵの前記必要な送信パワー（ＴｘＰｏｗｅｒ）を推定することを特徴とする請求項２５に記載のリソース管理ユニット。
ＴｘＰｏｗｅｒ（ｄＢｍ）＝ＳＩＲ（ｄＢ）＋Ｌcand（ｄＢ）＋Ｉcand（ｄＢｍ）
【請求項２７】
前記プロセッサは、前記必要な送信パワーおよび前記ＷＴＲＵと前記隣接するセルＬi間の前記経路損失に基づいて、個々の隣接するセルｉおよびリソースブロックｊで前記ＷＴＲＵによって生成されたセル間干渉ΔＩiの結果のレベルを次式で計算することを特徴とする請求項２６に記載のリソース管理ユニット。
ΔＩi（ｄＢｍ）＝ＴｘＰｏｗｅｒ（ｄＢｍ）−Ｌi（ｄＢ）
【請求項２８】
前記プロセッサは、先在するセル間干渉のレベルに基づいて、各セルで各リソースブロックに関して前記セル間干渉の相対的増加Ｉij’／Ｉijを次式で推定することを特徴とする請求項２７に記載のリソース管理ユニット。
Ｉij’／Ｉij（ｄＢ）＝１０ｌｏｇ１０［１＋ΔＩi（ｍＷ）／Ｉij（ｍＷ）］
【請求項２９】
前記リソース管理ユニットが各候補の割当てのために前記セル間干渉の推定された相対的増加の組を推定した後に、推定されるセル間干渉の相対的増加の合計を最小化することを基に前記割当てが求められることを特徴とする請求項２８に記載のリソース管理ユニット。
【請求項３０】
前記リソース管理ユニットが各候補セルおよびリソースブロックの割当てのために前記セル間干渉の推定された相対的増加の組を推定した後に、推定されるセル間干渉の相対的増加の中の最大値を最小化することを基に、選択された割当てが求められることを特徴とする請求項２９に記載のリソース管理ユニット。
【請求項３１】
前記リソース管理ユニットが各候補セルおよびリソースブロックの割当てのために前記セル間干渉の推定された相対的増加の組を推定した後に、推定されるセル間干渉の相対的増加の重みづけされた合計を最小化することを基に、選択された割当てが求められることを特徴とする請求項２９に記載のリソース管理ユニット。
【請求項３２】
無線送信／受信ユニット（ＷＴＲＵ）であって、
（ａ）前記ＷＴＲＵが使用するべき特定のセルおよびリソースブロック、前記ＷＴＲＵと前記ＷＴＲＵが中で動作するセルに隣接するセルの間の経路損失、ならびに指定の隣接セルでの特定のリソースブロックのセル間干渉レベルに関する情報をリソース管理ユニットから受け取るように構成された受信機と、
（ｂ）アップリンク上で前記ＷＴＲＵの保証されたビットレートに対応するのに必要な信号対混信比（ＳＩＲ）を推定するためのプロセッサとを備えることを特徴とするＷＴＲＵ。
【請求項３３】
前記リソース管理ユニットに平均の受信信号強度を伝達することを特徴とする請求項３２に記載のＷＴＲＵ。
【請求項３４】
（ｅ）リソース管理ユニットから指定の隣接セルで指定のリソースブロックの干渉レベルを要求するように構成された送信機をさらに備えることを特徴とする請求項３２に記載のＷＴＲＵ。
【請求項３５】
前記プロセッサは、前記保証されたビットレートに対応するのに必要な前記ＳＩＲを自律的に推定することを特徴とする請求項３２に記載のＷＴＲＵ。
【請求項３６】
前記プロセッサは、前記受け取った情報に基づいて、前記保証されたビットレートに対応するのに必要な前記ＳＩＲを推定することを特徴とする請求項３２に記載のＷＴＲＵ。
【請求項３７】
前記受け取った情報は、前記ＷＴＲＵが生成するセル間干渉を制限するように前記ＷＴＲＵが使用するべき最大ビットレートまたは最大送信パワーをさらに含むことを特徴とする請求項３２に記載のＷＴＲＵ。
【発明の詳細な説明】
【技術分野】
【０００１】
本発明は無線通信システムに関する。より詳細には、直交アップリンクを有する無線通信システム向けのリソースおよびセルの割当てが開示される。
【背景技術】
【０００２】
次世代汎用地上無線接続（Ｅｖｏｌｖｅｄ  ｕｎｉｖｅｒｓａｌ  ｔｅｒｒｅｓｔｒｉａｌ  ｒａｄｉｏ  ａｃｃｅｓｓ）（Ｅ−ＵＴＲＡ）は、アップリンク上で単一キャリア（ＳＣ）の周波数分割多元接続（ＳＣ−ＦＤＭＡ）として知られている多元接続方式を用いるものと予期される。そのような方式で、同じセルに接続されたユーザは、別々のサブキャリアおよび／または別々のタイムスロット（すなわち伝送タイミング間隔（ＴＴＩ））で伝送することにより、相互干渉を完全に回避することができる。システムを動作させる一般的なやり方の１つでは、ユーザは、１組のサブキャリアを長期間割り当てられ、別々のＴＴＩで高速信号伝達によってスケジューリングされ得る。基地局は、１つのセルまたは１組のセル向けのリソース割当てを制御する。基地局は、これらのセルに接続されたユーザの伝送を容易に調整することができ、相互干渉を回避する。しかし、基地局は、他のセルに接続されたユーザからの伝送を直接制御することはない。これら他のセルのユーザからの伝送は、基地局アンテナでかなり高いレベルで受信されると、干渉が生じる。したがってセル内の性能が低下する。
【０００３】
別々の基地局によって制御された２つの（またはより多くの）セルへの経路損失がほぼ同じである位置にユーザがいるとき、セル間の干渉問題は特に顕著である。そのようなユーザはしばしば「境界ユーザ」と称される。
【０００４】
境界ユーザが接続されているセル（働いているセル）と接続されていない（すなわち働いていない）１つまたは複数のセルの間で、受信信号レベルがほぼ同じであるため、境界ユーザが引き起こすセル間干渉問題は、より激しいものである。したがって、働いていないセルでは、境界ユーザからの信号が比較的強い可能性が高い。働いていないセルは、サブキャリアおよび境界ユーザからの伝送時間を制御していないので、他のユーザとの衝突の可能性が高い。したがって、これらのユーザについては、より多くの再伝送が必要となるか、あるいは変調／コード体系はより保守的なものでなければならず、スループットの低下の原因となる。
【０００５】
図１は、マルチセル無線通信システム１００において別々のノードＢであるＮＢ１、ＮＢ２およびＮＢ３によって制御された隣接セルで使用することができるリソースの組を分離するのに用いられている従来手法の１つを示す。ノードＢであるＮＢ１、ＮＢ２およびＮＢ３は、次世代ノードＢ（ｅＮｏｄｅＢ）でよい。図１に示される文字Ａ、Ｂ、ＣおよびＤは、別々のセルのセクタ１０５、１１０および１１５の領域を表し、リソースのブロック（例えばサブキャリア、タイムスロット、直交コードなど）は、それぞれのセルのセクタ内のユーザにとって利用可能である。一般に、１つのセルには３つのセクタがあり、そのうちの１つだけが、それぞれノードＢであるＮＢ１、ＮＢ２およびＮＢ３向けに図１に示されている。
【０００６】
図１に示されるように、リソースブロックＢはＮＢ２からのセルのセクタ１１０内でのみ使用することができ、リソースブロックＣはＮＢ１からのセルのセクタ１０５内でのみ使用することができ、リソースブロックＤはＮＢ３からのセルのセクタ１１５内でのみ使用することができる。図１に示される矢印は、それぞれのノードＢであるＮＢ１、ＮＢ２およびＮＢ３のアンテナの主ローブの方向を指す。別々のリソースブロックに関して伝送するユーザは、互いに干渉することがない（「直交」伝送）。例えば、リソースブロックが別々の周波数の組から成ると、これら別々の周波数の組で伝送するユーザは互いに干渉することがない。
【０００７】
一般に、経路損失の配慮に基づいて、ユーザに対してまず特定のセルが割り当てられる。次いで、経路損失の配慮に基づいて、特定のセルの特定のセクタで利用可能なリソースのブロックがユーザに割り当てられる。
【０００８】
ノードＢ間の境界領域内にいるが別々のノードＢに接続されている２人のユーザは、別々のリソースブロックを使用していることによって互いに干渉しないので、この従来技術の手法は境界ユーザからの干渉を防止する。しかし、すべてのセルでリソースの一定のブロックを再使用することができないので、この手法は、総合スペクトル効率に関してひどい損失をこうむる。その上、この手法は、具体的には直交ＦＤＭＡ（ＯＦＤＭＡ）およびＳＣ−ＦＤＭＡシステムに存在するセル内のユーザ直交性を活用することができず、可能な最高の容量をもたらすことがない。前述のように、一部のリソースブロックは特定のセルのセクタ内でしか使用することができないので、所定量のリソースブロック（すなわちスペクトルの所定量）に関してシステム全体でサービスを受けることができるユーザの総数は、すべてのセクタ（またはより多くのセクタ）でリソースブロックを使用することができる場合にサービスを受けることができるユーザの総数より少ない。したがって、容量は可能であるはずのものより小さい。
【発明の概要】
【発明が解決しようとする課題】
【０００９】
したがって、現存する従来技術の制限を受けることのない、リソースおよびセルを割り当てる方法および装置があれば有益であろう。
【課題を解決するための手段】
【００１０】
リソース管理ユニットおよびリソースブロックを有する複数のセルを含む無線通信システムにおいて、無線送信／受信ユニット（ＷＴＲＵ）に対してセルおよびリソースブロックを割り当てるための方法および装置が開示される。ＷＴＲＵは、現在、セルのうち特定の１つと関連づけられている。ＷＴＲＵと、この特定のセルに隣接する諸セルの間の経路損失が求められる。次いで、特定のセルに隣接する各セルで各リソースブロックに関してセル間干渉の平均レベルが求められる。次いで、アップリンク上でＷＴＲＵの保証されたビットレートに対応するために信号対混信比（ＳＩＲ）が求められる。
【００１１】
Ｅ−ＵＴＲＡ（ＬＴＥ（ｌｏｎｇ  ｔｅｒｍ  ｅｖｏｌｕｔｉｏｎ）としても知られている）などのアップリンクで、同じセルのユーザからの信号が直交であるとき、１人のユーザに１組のリソースおよび１つのセルを割り当てるための信号伝達およびプロシージャは、セル間干渉問題を考慮に入れて、システムの容量を最適化するようなやり方で提供される。
【００１２】
上記概要ならびに以下の詳細な説明は、添付図面を参照しながらに読まれると一層よく理解されるであろう。
【図面の簡単な説明】
【００１３】
【図１】セル間干渉を緩和するための従来技術の分離方式を示す複数のセルを示す図である。
【図２】拡張されたセル内のリソースブロックの再使用を可能にする、同じノードＢへの境界ユーザの割当てを示す複数のセルを示す図である。
【図３】リソースの割当てに先立ってノードでの干渉レベルを示す複数のセルを示す図である。
【図４】リソース管理ユニット、複数のノードＢおよびＷＴＲＵを含む無線通信を示す図である。
【発明を実施するための形態】
【００１４】
今後、無線送信／受信ユニット（ＷＴＲＵ）は、ユーザ機器（ＵＥ）、移動局、固定式または移動式の加入者ユニット、ポケットベル、または無線環境で動作することができる他のタイプのデバイスを含むが、これらには限定されない。今後言及されたとき、基地局は、ノードＢ、サイトコントローラ、接続ポイントまたは無線環境内の他のタイプのインターフェースデバイスを含むが、これらには限定されない。
【００１５】
一実施形態では、セルおよびリソースブロックの割当て決定は、容量を最適化するために連帯的に実施される。セルの選択は、候補セルへの経路損失だけでなく、以下で説明される他の要因にも左右される。したがって、選択されたセルは、経路損失が最小のものでない可能性がある。「候補」セルは、ユーザが接続する可能性があるセルである。例えば、候補セルの選択は、ハンドオーバプロシージャ中すなわち無線通信システムへの初期アクセス中（すなわち初期のセル選択中）か、あるいは「非アクティブ」モードで、既にユーザがセルに接続されていて新規のセルへ接続する「セル再選択」中に行われてよい。
【００１６】
図２は、別々のノードＢであるＮＢ１、ＮＢ２およびＮＢ３によって制御された複数の隣接したセル２０５、２１０および２１５を備えるマルチセル無線通信システム２００を示す。図２は、共通のノードＢへの境界ユーザの割当てを示し、このように、拡張されたセル内のリソースブロックの再使用が可能になる。図２は、結合セルおよびリソース割当ての決定がどのように容量を改善することができるかという例を与える。
【００１７】
単に説明の目的で、図２では、最も近いノードＢ（すなわちユーザから最短距離にあるノードＢ）は、これへの経路損失も最小である。実際には、（シャドーイングのために）最も近いノードＢが必ずしも経路損失最小のノードＢと同一とは限らない。しかし、図による表現を簡単にするために、図２は、そのような場合であると想定する。この例では、ノードＢであるＮＢ１とＮＢ２の間の境界領域内にいるユーザは、すべて同一のセル２１０に接続され、経路損失に関してどのセルがユーザに実際に最も近いかということにかかわらずリソース「Ｂ」の同じブロックを割り当てられる。図２では、セル２１０の境界がセル２０５の境界へ広がる（すなわち入り込む）ものとして示される。したがって、境界領域内のユーザはすべてリソースブロック「Ｂ」に割り当てられる。これは、セル２０５内のユーザがリソースブロック「Ｃ」に関して顕著な干渉を生成しないという利点を与える。したがって、現在、セル２１０内の何人かのユーザがリソースブロック「Ｃ」を使用することができる。
【００１８】
使用される特定のシステムおよび／またはプロシージャ次第で、この原理は、以下の段落で説明されるように、ＷＴＲＵ側で、ノードＢ側で、またはリソース管理ユニットによって用いられる方法で適用され得る。ユーザがどのセル（ノードＢ）に接続するべきかの決定は、このユーザと別々のセルの間の経路損失だけ（従来技術のように）でなく、別々のノードＢで別々のリソースブロックに関して測定された干渉レベルにも左右される。
【００１９】
アップリンクに与えられる一般化されたセルおよびリソースの割当て向けに可能な選択基準の１つに、セルおよびリソースブロックの割当てのあらゆる可能な組合せの中でセル間干渉の予期される増加（ｄＢ）を最小化するセルおよびリソースブロックを選択するものがあり、そのターミナルの新規の最大の伝送に関する制約ならびにリソースブロックおよびセルに関するセル間干渉の最大レベルに関する制約を受ける。この基準を利用することに関する理論的根拠は、このセルおよびリソースブロックを利用するユーザ向けに最小の有効範囲および／またはスループットの要件が満たされることになっているとき、所与のセルでの所与のリソースブロックに関する干渉は、一定レベルを超えることができないということである。したがって、干渉（または平均の干渉）の増加は、所与の割当てに関して最小化されるべき容量消費の計量と見なすことができる。
【００２０】
図３は、別々のノードＢであるＮＢ１、ＮＢ２およびＮＢ３によって制御された複数の隣接するセル３０５、３１０および３１５を備えるマルチセル無線通信システム３００を示す。図３は、特定のＷＴＲＵ３２０に、セルおよびリソースブロックを割り当てるかまたは再度割り当てる必要があるシナリオの例を示す。
【００２１】
図３の例を参照すると、セル３０５およびセル３１０には、ノードＢであるＮＢ１およびＮＢ２が働いている。セル３０５は、リソースＣの候補ブロックの第１の組を有し、セル３１０は、ＷＴＲＵ３２０に可能性として割り当てることができるリソースＢの候補ブロックの第２の組を有する。リソースのブロックは、（ＯＦＤＭＡまたはＳＣ−ＦＤＭＡを用いるシステムでは）１組のサブキャリアを指してよく、（符号分割多元接続（ＣＤＭＡ）を用いるシステムでは）タイムスロットの組、１組の直交コード、またはそれらの任意の組合せを指してよい。図３の例では、リソースブロックがＷＴＲＵ３２０に割り当てられる前は、セル間干渉のレベルは、ノードＢであるＮＢ１のリソースブロックＢに関するもの（ノードＢであるＮＢ２に接続されている別のＷＴＲＵ３２５からの干渉による）を除いて、ノードＢであるＮＢ１およびＮＢ２の両方で低いと想定される。ブロックＢは、ＮＢ２に接続されたユーザがブロックＢ上で伝送することができるという意味でＮＢ２と「関連づけられ」ているが、その他のノードＢは、ＮＢ２に接続されてブロックＢ上で伝送するユーザのためにブロックＢ上でセル間干渉を経験する。
【００２２】
この状況では、ＷＴＲＵ３２０のリソース割当て向けに４つのオプションがあり、これらによってリソースブロックおよびそのセルがＷＴＲＵ３２０に割り当てられる。そのようなリソース割当ては、ハンドオーバプロシージャ、セル再選択プロシージャ、初期接続のために接続するべきセルを選択するプロシージャなどの間に起動されてよい。下の表１に説明されるように、これらのオプションは、ノードＢであるＮＢ１またはＮＢ２でのセル間干渉レベルに関して様々な結果をもたらす。表１は、セル間干渉における可能な割当ておよび結果として生じる変化を示し、ユーザが８ｄＢの平均信号対混信比（ＳＩＲ）を必要とするものと想定している。
【００２３】
【表１】
2010504026.tif 000003
【００２４】
割当て＃３は、セル間干渉（ｄＢ）の増加を最小化するものであり、したがって、提案された基準に従って選択されることになる。別のＷＴＲＵがブロックＢに関してノードＢのＮＢ２に既に接続されているので、割当て＃３は、境界ユーザに対して同一のノードＢおよびリソースブロックを割り当てる手法にも対応する。したがって、この割当ては、ノードＢであるＮＢ２が働くセルに接続されたユーザに対して結果としてブロックＣの使用を許容する図２に示された手法を実現することになる。
【００２５】
一般化されたセル／リソースの割当てに対応するのに必要な信号伝達のタイプは、システムのアーキテクチャおよびどのノードが割付け決定を行うかということ次第である。広義には、主に２つの可能性を考えることができる。１つは、セル／リソースの割当て決定がネットワーク内で行われるものである。２番目は、セル／リソースの割当て決定が端末で行われるものである。
【００２６】
図４は、リソース管理ユニット４０５、複数のノードＢであるＮＢ１、ＮＢ２およびＮＢ３ならびにＷＴＲＵ３２０を含む無線通信システム４００を示す。
【００２７】
ネットワークベースの場合には、リソース割当てのとき、ＷＴＲＵ３２０向けにリソース管理ユニット４０５が指定される。リソース管理ユニット４０５があるノードは、初期接続のためにあらかじめＷＴＲＵが接続されている特定の基地局でよい。あるいは、図４に示されるように、リソース管理ユニット４０５があるノードは、候補ノードＢであるＮＢ１、ＮＢ２およびＮＢ３の組が接続される中央ノードでよい。後者では、ＷＴＲＵ３２０によってリソース管理ユニット４０５に伝えられるあらゆる測定値、ならびにリソース管理ユニット４０５からＷＴＲＵ３２０に送られるあらゆる命令は、端末が一時的に接続されているノードＢによって中継され得ることを理解されたい。そのような測定値伝達は、従来技術で既知の任意の方法を用いて行われ得る。
【００２８】
図４に示されるように、リソース管理ユニット４０５は、プロセッサ４１０、送信機４１５および受信機４２０を含む。ＷＴＲＵ３２０は、プロセッサ４４０、送信機４４５および受信機４５０を含む。リソース管理ユニット４０５内のプロセッサ４１０は、各候補セル／リソースの割当てに対してＷＴＲＵ３２０によって生成される干渉の量を推定するように構成される。この推定を行うために以下の情報が必要である。
１）ＷＴＲＵ３２０と中でＷＴＲＵが動作するセルに隣接するセルの間の経路損失、
２）各隣接セルでの各リソースブロックに関するセル間干渉の平均レベル、および
３）保証されたビットレートに対応するのに必要なＳＩＲ。
【００２９】
経路損失の組を得るためのいくつかの可能な方法が存在する。第１に、ＷＴＲＵ３２０は、既知のリソースブロックに関して既知の送信パワーで各セルによって伝送された一定の無線標識信号の受信信号強度を測定し、この信号強度（またはその平均）をリソース管理ユニット４０５に伝えてよい。別の可能性に、ＷＴＲＵ３２０は、一定の確保されたリソースブロックに関してプローブ信号を指定の送信パワーで伝送し、隣接するセルは、このプローブ信号（またはその平均）の受信信号強度を測定するものがある。次いで、隣接するセルは、リソース管理ユニット４０５にこの測定結果を伝達する。
【００３０】
各リソースブロックに関する候補セルによってセル間干渉の平均レベルが測定される必要がある。特定のセル（ノードＢ）で測定されるセル間干渉のレベルは、リソースブロック次第である。例えば、リソースブロックが１組の周波数であるなら、干渉は、ある周波数の組から別の周波数の組へと変化する。そのような測定は、候補セルによって継続的に行われると想定することができる。この情報は、ネットワークインフラを介して、要求に応じて、あるいは周期的に、リソース管理ユニット４０５へ中継されてよい。
【００３１】
保証されたビットレートに対応するのに必要なＳＩＲは、アップリンク上のユーザの保証されたビットレートに基づいて、リソース管理ユニット４０５によって推定され得る。この保証されたビットレートは、ＷＴＲＵ３２０とコアネットワークの間および／またはコアネットワークとリソース管理ユニット４０５の間の事前折衝から知ることができる。必要なＳＩＲを知る正確度はあまり高いものである必要性はなく、というのは、この値はセル／リソースブロック間の順位に影響を及ぼさないからである。この値は、ＷＴＲＵ３２０の最大送信パワーを超えるかどうか、あるいは候補のセル／リソースブロックに関してセル間干渉の最大レベルを超えるかどうか、判断するのに用いられる。
【００３２】
収集された情報に基づいて、リソース管理ユニット４０５内のプロセッサ４１０は、各候補のセルおよびリソースブロックの割当てのために、隣接セルでのリソースブロックに関してセル間干渉の予期される増加を求めることができる。各候補の割当てのためにこの計算を行う最も簡単なやり方は以下の通りである。第１に、必要なＳＩＲ、候補のセルおよびリソースブロックに関するセル間干渉の平均レベル（Ｉｃａｎｄ）ならびに候補セルへの経路損失（Ｌｃａｎｄ）を基に、次式に基づいてＷＴＲＵ３２０の必要な送信パワー（ＴｘＰｏｗｅｒ）を推定する。
ＴｘＰｏｗｅｒ（ｄＢｍ）＝ＳＩＲ（ｄＢ）＋Ｌcand（ｄＢ）＋Ｉcand（ｄＢｍ）                                                                          式（１）
【００３３】
第２に、必要な送信パワーおよびＷＴＲＵ３２０と隣接セル（Ｌi）間の経路損失に基づいて、個々の隣接セル（ｉ）およびリソースブロック（ｊ）でユーザによって生成されたセル間干渉（ΔＩi）の結果のレベルを計算する。
ΔＩi（ｄＢｍ）＝ＴｘＰｏｗｅｒ（ｄＢｍ）−Ｌi（ｄＢ）              式（２）
【００３４】
第３に、先在するセル間干渉のレベルに基づいて、各セルで各リソースブロックに関してセル間干渉（Ｉij’／Ｉij）の相対的増加を推定する。
（Ｉij’／Ｉij）（ｄＢ）＝１０ｌｏｇ１０［１＋ΔＩi（ｍＷ）／Ｉij（ｍＷ）］                                                                        式（３）
【００３５】
上記の計算は単なる例であり、ユーザが伝送し始めた後のパワーバランス効果によるさらなる干渉の増加を明らかにするために、より精巧な方法を用いることも可能である。
【００３６】
各候補セルおよびリソースブロックの割当てのために、リソース管理ユニット４０５内のプロセッサ４１０がセル間干渉の推定された相対的増加の組を推定した後に、以下の基準のうちの１つに基づいて選択された割当てが求められる。
１）セル間干渉の推定された相対的増加の合計（ｄＢまたは線形で）が最小になること、
２）セル間干渉の推定された相対的増加の中で最大値が最小になること、および
３）セル間干渉の推定された相対的増加の重みづけされた合計（ｄＢまたは線形で）が最小になること。あるセルまたはリソースがリソース管理ユニット４０５によってより重要であると見なされるなら、この重みはセル従属および／またはリソースブロック従属であり得る。
【００３７】
一旦候補の割当てが求められると、リソース管理ユニット４０５は、ハンドオーバプロシージャを開始してよく、選択されたセルが、ＷＴＲＵ３２０が現在接続されているものと異なるとき、ＷＴＲＵ３２０を選択されたセルへ接続する。選択されたセルがダウンリンク伝送の目的には最適でないとき、また、アップリンクセルがダウンリンクセルと同一である必要があるとき、リソース管理ユニット４０５がそのようなハンドオーバプロシージャを実行する必要性はない。割当てが一定のセル内またはセルの組内に制限されるような状況では、リソース管理ユニット４０５は、セルのこの組の中で、（選択された基準に従って）最も優れた割当てを選択することができる。
【００３８】
リソース管理ユニット４０５は、ＷＴＲＵ３２０が使用するべきセルおよびリソースブロックについてＷＴＲＵ３２０に指示するとき、ＷＴＲＵ３２０が生成するセル間干渉を制限するために、ＷＴＲＵ３２０が用いることができる最大ビットレートまたは最大送信パワーを規定してもよい。
【００３９】
端末ベースの場合には、割当てについて決定するエンティティは、ＷＴＲＵ３２０内のプロセッサ４４０にある。ＷＴＲＵ３２０内のプロセッサ４４０は、ネットワークベースのときのように同じ基準に従って（類似の計算で）この決定を下すことができるが、信号伝達する必要のある情報は異なる。
【００４０】
ＷＴＲＵ３２０自体が測定を行うなら、それが最も効率的な解決策であり、ＷＴＲＵ３２０と隣接セルの間の経路損失の組を信号伝達する必要はない。基地局によって、先の段落で説明されたプローブ信号方式を用いて測定がなされたならば、これらの測定値をＷＴＲＵ３２０に信号伝達する必要がある。
【００４１】
各リソースブロックおよびセルに関するセル間干渉レベルは、ＷＴＲＵ３２０によって測定され得ず、信号伝達されなければならない。これに関していくつかの可能性がある。まず、ＷＴＲＵ３２０内の送信機４４５は、ネットワーク内のリソース管理ユニット４０５に対して、指定の隣接セルでの特定のリソースブロックの干渉レベルを求める要求を送ってよい。別の可能性には、隣接するセルが、各リソースブロックに関してそれらの平均のセル間干渉レベルを周期的に一斉送信するものがある。したがって、一定のセルへの接続を検討しているＷＴＲＵ３２０内の受信機４５０は、プロセッサ４４０がセル間干渉レベルを求めることができるように、一斉送信された信号をリッスンすることになる。任意選択で、隣接するセルは、それらが各リソースブロックに関して許容することができる平均干渉の最大レベル、および／または、それらが各リソースブロックに関して許容することができる平均干渉の最大の増加を一斉送信することもできる。
【００４２】
ＷＴＲＵ３２０の保証されたビットレートに対応するのに必要なＳＩＲは、ＷＴＲＵ３２０のプロセッサ４４０によって自律的に推定され得る。あるいは、必要なＳＩＲは、信号伝達のオーバヘッドを最小化するように、リソース管理ユニット４０５によってＷＴＲＵ３２０の受信機４５０へ信号伝達されてよい。
【００４３】
一旦、ＷＴＲＵ３２０内のプロセッサ４４０が、最適のセルおよびリソースブロックの割当てを（ネットワークベースの場合向けに上記で概説されたのと同じタイプの計算に基づいて）求めると、割当てを実行するのにいくつかの可能性がある。第１の可能性は、ＷＴＲＵ３２０の送信機４４５がリソース管理ユニット４０５に選択された割当てを通知することである。次いで、リソース管理ユニット４０５は、ネットワークベースの場合のようにハンドオーバプロシージャを続行する。いかなる理由にせよ要求された割当てが不適当と見なされるなら、リソース管理ユニット４０５は、ＷＴＲＵ３２０からの要求を拒否してもよい。リソース管理ユニット４０５は、ネットワークベースの場合と同様にＷＴＲＵ３２０が一定のビットレートまたは送信パワーを上回って伝送しないという条件下で、要求に応じることもある。
【００４４】
第２の可能性は、ＷＴＲＵ３２０が、選択されたセルに特別なチャンネル上で直接接続して、選択されたリソースブロックの使用を要求することである。要求を受け取ると、セルは、要求を受け入れる（恐らく上記のように条件付きで）かまたは拒否して、その応答をＷＴＲＵ３２０に信号伝達することができる。このシナリオは、リソース管理の判断をする中央ノードがないときに最適である。
【００４５】
実施形態
１．リソース管理ユニットおよびリソースブロックを有する複数のセルを含む無線通信システムにおいて、無線送信／受信ユニット（ＷＴＲＵ）に対してセルおよびリソースブロックを割り当てる方法であって、ＷＴＲＵは、現在、セルのうち特定の１つと関連づけられており、
（ａ）ＷＴＲＵによって個々の隣接するセルおよびリソースブロックで生成されたセル間干渉の平均レベルを求めるステップと、
（ｂ）アップリンク上でＷＴＲＵの保証されたビットレートに対応するのに必要な信号対混信比（ＳＩＲ）を求めるステップとを含む方法。
【００４６】
２．（ｃ）ＷＴＲＵと、この特定のセルに隣接するセルの間の経路損失を求めるステップをさらに含む実施形態１に記載の方法。
【００４７】
３．ステップ（ｃ）は、
ＷＴＲＵが、それぞれのセルによって既知のリソースブロックに関して既知の送信パワーで伝送された一定の無線標識信号の受信された信号強度を測定するステップと、
ＷＴＲＵが、リソース管理ユニットに受信信号の強度を伝達するステップとをさらに含む実施形態２に記載の方法。
【００４８】
４．ＷＴＲＵがリソース管理ユニットに平均の受信信号強度を伝達する実施形態２に記載の方法。
【００４９】
５．ステップ（ｃ）は、
ＷＴＲＵが、一定の留保されたリソースブロックに関して指定の送信パワーでプローブ信号を伝送するステップをさらに含む実施形態２〜４のいずれか１つに記載の方法。
【００５０】
６．ステップ（ｃ）は、
ＷＴＲＵが受信されたプローブ信号の信号強度の測定値を受け取るステップをさらに含む実施形態５に記載の方法。
【００５１】
７．ステップ（ａ）は、
各リソースブロックに関して候補セルによるセル間干渉の平均レベルを測定するステップをさらに含む実施形態１〜６のいずれか１つに記載の方法。
【００５２】
８．要求に応じてセル間干渉の平均レベルの測定が行われる実施形態７に記載の方法。
【００５３】
９．セル間干渉の平均レベルの測定が周期的に行われる実施形態７に記載の方法。
【００５４】
１０．ステップ（ｂ）は、
ＳＩＲに基づいて、ＷＴＲＵの最大送信パワーを超えるかどうか、あるいは候補のセル／リソースブロックに関してセル間干渉の最大レベルを超えるかどうか、判断するステップをさらに含む実施形態２〜４のいずれか１つに記載の方法。
【００５５】
１１．リソース管理ユニットが、各候補の割当てのために隣接したセルでのリソースブロックに関してセル間干渉の予期される増加を求めるステップをさらに含む実施形態１〜１０のいずれか１つに記載の方法。
【００５６】
１２．必要なＳＩＲ、候補セルおよびリソースブロック上のセル間干渉の平均レベルＩcandならびに候補セルへの経路損失Ｌcandを基に、次式に基づいてＷＴＲＵの必要な送信パワー（ＴｘＰｏｗｅｒ）を推定するステップをさらに含む実施形態１１に記載の方法。
ＴｘＰｏｗｅｒ（ｄＢｍ）＝ＳＩＲ（ｄＢ）＋Ｌcand（ｄＢ）＋Ｉcand（ｄＢｍ）
【００５７】
１３．必要な送信パワーおよびＷＴＲＵと隣接のセルＬi間の経路損失に基づいて、個々の隣接するセルｉおよびリソースブロックｊでＷＴＲＵによって生成されたセル間干渉ΔＩiの結果のレベルを次式で計算するステップをさらに含む実施形態１２に記載の方法。
ΔＩi（ｄＢｍ）＝ＴｘＰｏｗｅｒ（ｄＢｍ）−Ｌi（ｄＢ）
【００５８】
１４．先在するセル間干渉のレベルに基づいて、各セルで各リソースブロックに関してセル間干渉Ｉij’／Ｉijの相対的増加を次式で推定するステップをさらに含む実施形態１３に記載の方法。
Ｉij’／Ｉij（ｄＢ）＝１０ｌｏｇ１０［１＋ΔＩi（ｍＷ）／Ｉij（ｍＷ）］
【００５９】
１５．リソース管理ユニットが各候補セルおよびリソースブロックの割当てのためにセル間干渉の推定された相対的増加の組を推定した後に、推定されたセル間干渉の相対的増加の合計を最小化することを基に、選択された割当てが求められる実施形態１４に記載の方法。
【００６０】
１６．リソース管理ユニットが各候補セルおよびリソースブロックの割当てのためにセル間干渉の推定された相対的増加の組を推定した後に、推定されたセル間干渉の相対的増加の中の最大値を最小化することを基に、選択された割当てが求められる実施形態１４に記載の方法。
【００６１】
１７．リソース管理ユニットが各候補セルおよびリソースブロックの割当てのためにセル間干渉の推定された相対的増加の組を推定した後に、推定されたセル間干渉の相対的増加の重みづけされた合計を最小化することを基に、選択された割当てが求められる実施形態１４に記載の方法。
【００６２】
１８．複数のセルおよびリソースブロックを管理するためのリソース管理ユニットであって、
（ａ）ｉ）複数のセルのそれぞれによって既知の送信パワーで伝送された一定の無線標識セルの既知のリソースブロックに関する受信信号強度の測定値、およびｉｉ）各リソースブロックに関して候補セルによって行われたセル間干渉の測定値を受信するための受信機と、
（ｂ）アップリンク上でＷＴＲＵの保証されたビットレートに対応するのに必要な信号対混信比（ＳＩＲ）を推定するためのプロセッサとを備えるリソース管理ユニット。
【００６３】
１９．ＷＴＲＵがリソース管理ユニットに平均の受信信号強度を伝達する実施形態１８に記載のリソース管理ユニット。
【００６４】
２０．隣接するセルがリソース管理ユニットに受信信号強度の測定値を伝達する実施形態１８に記載のリソース管理ユニット。
【００６５】
２１．隣接するセルが平均の受信信号強度を伝達する実施形態２０に記載のリソース管理ユニット。
【００６６】
２２．各リソースブロック上の候補セルによるセル間干渉の平均レベルが測定される実施形態１８〜２１のいずれか１つに記載のリソース管理ユニット。
【００６７】
２３．要求に応じてセル間干渉の平均レベルの測定が行われる実施形態２２に記載のリソース管理ユニット。
【００６８】
２４．セル間干渉の平均レベルの測定が周期的に行われる実施形態２２に記載のリソース管理ユニット。
【００６９】
２５．プロセッサは、ＳＩＲ推定に基づいて、ＷＴＲＵの最大送信パワーが超えられるか、あるいは候補のセル／リソースブロックに関してセル間干渉の最大レベルが超えられるか判断する実施形態１８〜２４のいずれか１つに記載のリソース管理ユニット。
【００７０】
２６．プロセッサは、各候補の割当てのために隣接したセルでのリソースブロックに関してセル間干渉の予期される増加を求める実施形態１８〜２４のいずれか１つに記載のリソース管理ユニット。
【００７１】
２７．プロセッサは、必要なＳＩＲ、候補セルおよびリソースブロックに関するセル間干渉の平均レベルＩcandならびに候補セルへの経路損失Ｌcandを基に、次式に基づいてＷＴＲＵの必要な送信パワー（ＴｘＰｏｗｅｒ）を推定する実施形態２６に記載のリソース管理ユニット。
ＴｘＰｏｗｅｒ（ｄＢｍ）＝ＳＩＲ（ｄＢ）＋Ｌcand（ｄＢ）＋Ｉcand（ｄＢｍ）
【００７２】
２８．プロセッサは、必要な送信パワーおよびＷＴＲＵと隣接のセルＬi間の経路損失に基づいて、個々の隣接のセルｉおよびリソースブロックｊでＷＴＲＵによって生成されたセル間干渉ΔＩiの結果のレベルを次式で計算する実施形態２７に記載のリソース管理ユニット。
ΔＩi（ｄＢｍ）＝ＴｘＰｏｗｅｒ（ｄＢｍ）−Ｌi（ｄＢ）
【００７３】
２９．プロセッサは、先在するセル間干渉のレベルに基づいて、各セルで各リソースブロックに関してセル間干渉の相対的増加を次式で推定する実施形態２８に記載のリソース管理ユニット。
Ｉij’／Ｉij（ｄＢ）＝１０ｌｏｇ１０［１＋ΔＩi（ｍＷ）／Ｉij（ｍＷ）］
【００７４】
３０．リソース管理ユニットが各候補の割当てのためにセル間干渉の推定された相対的増加の組を推定した後に、推定されるセル間干渉の相対的増加の合計を最小化することを基に、割当てが求められる実施形態２９に記載のリソース管理ユニット。
【００７５】
３１．リソース管理ユニットが各候補セルおよびリソースブロックの割当てのためにセル間干渉の推定された相対的増加の組を推定した後に、推定されるセル間干渉の相対的増加の中の最大値を最小化することを基に、選択された割当てが求められる実施形態３０に記載のリソース管理ユニット。
【００７６】
３２．リソース管理ユニットが各候補セルおよびリソースブロックの割当てのためにセル間干渉の推定された相対的増加の組を推定した後に、推定されるセル間干渉の相対的増加の重みづけされた合計を最小化することを基に、選択された割当てが求められる実施形態３０に記載のリソース管理ユニット。
【００７７】
３３．（ａ）ＷＴＲＵが使用するべき特定のセルおよびリソースブロック、ＷＴＲＵとＷＴＲＵが中で動作するセルに隣接するセルの間の経路損失、ならびに指定の隣接セルでの特定のリソースブロックのセル間干渉レベルに関する情報をリソース管理ユニットから受け取るように構成された受信機と、
（ｂ）アップリンク上でＷＴＲＵの保証されたビットレートに対応するのに必要な信号対混信比（ＳＩＲ）を推定するためのプロセッサとを備える無線送信／受信ユニット（ＷＴＲＵ）。
【００７８】
３４．リソース管理ユニットに平均の受信信号強度を伝達する実施形態３３に記載のＷＴＲＵ。
【００７９】
３５．（ｃ）リソース管理ユニットから、指定の隣接セルで指定のリソースブロックの干渉レベルを要求するように構成された送信機をさらに備える実施形態３３または３４に記載のＷＴＲＵ。
【００８０】
３６．プロセッサは、保証されたビットレートに対応するのに必要なＳＩＲを自律的に推定する実施形態３３〜３５のいずれか１つに記載のＷＴＲＵ。
【００８１】
３７．プロセッサは、受け取った情報に基づいて保証されたビットレートに対応するのに必要なＳＩＲを推定する実施形態３３〜３５のいずれか１つに記載のＷＴＲＵ。
【００８２】
３８．受け取った情報は、ＷＴＲＵが生成するセル間干渉を制限するようにＷＴＲＵが使用するべき最大ビットレートまたは最大送信パワーをさらに含む実施形態３３〜２７のいずれか１つに記載のＷＴＲＵ。
【００８３】
上記の諸実施形態において、特徴および要素は特定の組合せで説明されるが、各特徴または要素は、好ましい実施形態のその他の特徴および要素なしで単独で、あるいは本発明の他の特徴および要素を伴うかまたは伴わない様々な組合せで、使用することができる。本明細書に提供された方法または流れ図は、コンピュータプログラム、ソフトウェアあるいは汎用のコンピュータまたはプロセッサによる実行向けのコンピュータ可読記憶メディアで明確に具現されたファームウェアで実施されてよい。コンピュータ可読記憶媒体の例は、読み取り専用メモリ（ＲＯＭ）、ランダムアクセスメモリ（ＲＡＭ）、レジスタ、キャッシュメモリ、半導体記憶デバイス、内部ハードディスクおよび取外し可能ディスクなどの磁気媒体、磁気光学媒体、ならびにＣＤ−ＲＯＭディスクおよびデジタル多用途ディスク（ＤＶＤ）などの光学媒体を含む。
【００８４】
適当なプロセッサは、例として、汎用プロセッサ、専用プロセッサ、従来型プロセッサ、デジタル信号プロセッサ（ＤＳＰ）、複数のマイクロプロセッサ、ＤＳＰコアと関連した１つまたは複数のマイクロプロセッサ、コントローラ、マイクロコントローラ、特定用途向け集積回路（ＡＳＩＣ）、利用者書込み可能ゲート配列（ＦＰＧＡ）回路、任意の他のタイプの集積回路（ＩＣ）、および／または状態機械を含む。
【００８５】
ソフトウェアと関連したプロセッサは、無線送信受信ユニット（ＷＴＲＵ）、ユーザ機器（ＵＥ）、端末、基地局、無線ネットワークコントローラ（ＲＮＣ）または任意のホストコンピュータ用に無線周波数トランシーバを実施するのに使用されてよい。ＷＴＲＵは、カメラ、ビデオカメラモジュール、テレビ電話、スピーカフォン、振動デバイス、スピーカ、マイクロフォン、テレビトランシーバ、ハンズフリーヘッドセット、キーボード、ブルートゥース（登録商標）モジュール、周波数変調（ＦＭ）無線ユニット、液晶ディスプレイ（ＬＣＤ）表示装置、有機発光ダイオード（ＯＬＥＤ）表示装置、デジタル音楽プレーヤ、メディアプレーヤ、ビデオゲームプレーヤモジュール、インターネットブラウザ、および／または任意の無線ローカルエリアネットワーク（ＷＬＡＮ）モジュールなどのハードウェアおよび／またはソフトウェアで実施されるモジュールとともに使用されてよい。
【図１】
2010504026.tif 000004
【図２】
2010504026.tif 000005
【図３】
2010504026.tif 000006
【図４】
2010504026.tif 000007
【手続補正書】
【提出日】平成20年11月20日(2008.11.20)
【手続補正１】
【補正対象書類名】特許請求の範囲
【補正対象項目名】全文
【補正方法】変更
【補正の内容】
【特許請求の範囲】
【請求項１】
無線送信／受信ユニットＷＴＲＵ（３２０、３２５）にセル（２０５、２１０、２１５、３０５、３１０、３１５）およびリソースブロック（Ａ、Ｂ、Ｃ、Ｄ）を割り当てる方法であって、
ＷＴＲＵと、複数のセルに割り当てられたリソースブロックを有する複数のセルの間の経路損失を求めるステップを含み、前記セルは、前記ＷＴＲＵが現在関連づけられている特定のセルに隣接しており、前記方法は、
複数の候補セルおよびリソースブロックのそれぞれの割当てに関して前記ＷＴＲＵによって生成された干渉の量を求めるステップであって、各候補セルに前記ＷＴＲＵが接続される可能性があるステップと、
各候補セルおよびリソースブロックの割当てのために、隣接したセルでのリソースブロックに関してセル間干渉の予期される増加を求めるステップと、
前記セル間干渉の予期される増加に基づいて、前記ＷＴＲＵに対して特定の候補セルおよびリソースブロックの割当てを用いるように指示するステップとをさらに含むことを特徴とする方法。
【請求項２】
それぞれのセルによって既知のリソースブロックに関して既知の送信パワーで伝送された一定の無線標識信号の受信された信号の強度を測定するステップと、
リソース管理ユニット（４０５）に前記受信信号の強度を伝達するステップとをさらに含むことを特徴とする請求項１に記載の方法。
【請求項３】
平均の受信信号強度が前記リソース管理ユニットに伝達されることを特徴とする請求項２に記載の方法。
【請求項４】
一定の留保されたリソースブロックに関して指定の送信パワーでプローブ信号を伝送するステップをさらに含むことを特徴とする請求項１に記載の方法。
【請求項５】
前記プローブ信号の前記受信された信号強度の測定値を受け取るステップをさらに含むことを特徴とする請求項４に記載の方法。
【請求項６】
各隣接セルでの各リソースブロックに関してセル間干渉の平均レベルを求めるステップと、
アップリンク上で前記ＷＴＲＵの保証されたビットレートに対応するために必要な信号対混信比ＳＩＲの値を推定するステップと、
前記ＷＴＲＵの最大送信パワーを超えるかどうか、あるいは特定のリソースブロック割当て向けの候補セル上でセル間干渉の最大レベルを超えるかどうか、判断するステップとをさらに含むことを特徴とする請求項１に記載の方法。
【請求項７】
要求に応じて前記セル間干渉の平均レベルが求められることを特徴とする請求項６に記載の方法。
【請求項８】
前記セル間干渉の平均レベルが周期的に求められることを特徴とする請求項６に記載の方法。
【請求項９】
必要な信号対混信比ＳＩＲ、候補セルおよびリソースブロックに関するセル間干渉の前記平均レベルＩcandならびに前記候補セルへの前記経路損失Ｌcandを基に、次式に基づいて前記ＷＴＲＵの必要な送信パワーＴｘＰｏｗｅｒを推定するステップをさらに含むことを特徴とする請求項１に記載の方法。
ＴｘＰｏｗｅｒ（ｄＢｍ）＝ＳＩＲ（ｄＢ）＋Ｌcand（ｄＢ）＋Ｉcand（ｄＢｍ）
【請求項１０】
前記必要な送信パワーおよび前記ＷＴＲＵと前記隣接セルＬi間の前記経路損失に基づいて、個々の隣接セルｉおよびリソースブロックｊで前記ＷＴＲＵによって生成されたセル間干渉ΔＩiの結果のレベルを次式で計算するステップをさらに含むことを特徴とする請求項９に記載の方法。
ΔＩi（ｄＢｍ）＝ＴｘＰｏｗｅｒ（ｄＢｍ）−Ｌi（ｄＢ）
【請求項１１】
先在するセル間干渉レベルに基づいて、各セルで各リソースブロックに関してセル間干渉Ｉij’／Ｉijの相対的増加を次式で推定するステップをさらに含むことを特徴とする請求項１０に記載の方法。
Ｉij’／Ｉij（ｄＢ）＝１０ｌｏｇ１０［１＋ΔＩi（ｍＷ）／Ｉij（ｍＷ）］
【請求項１２】
各候補セルおよびリソースブロックの割当てのためにセル間干渉の前記推定された相対的増加が推定された後に、推定されるセル間干渉の相対的増加の合計を最小化することを基に、選択された割当てが求められることを特徴とする請求項１１に記載の方法。
【請求項１３】
各候補セルおよびリソースブロックの割当てのためにセル間干渉の前記推定された相対的増加が推定された後に、推定されるセル間干渉の相対的増加の中の最大値を最小化することを基に、選択された割当てが求められることを特徴とする請求項１１に記載の方法。
【請求項１４】
各候補セルおよびリソースブロックの割当てのためにセル間干渉の前記推定された相対的増加が推定された後に、推定されるセル間干渉の相対的増加の重みづけされた合計を最小化することを基に、選択された割当てが求められることを特徴とする請求項１１に記載の方法。
【請求項１５】
無線送信／受信ユニットＷＴＲＵ（３２０、３２５）にセル（２０５、２１０、２１５、３０５、３１０、３１５）およびリソースブロック（Ａ、Ｂ、Ｃ、Ｄ）を割り当てるためのリソース管理ユニット（４０５）であって、
前記リソース管理ユニットは、ＷＴＲＵと、複数のセルに割り当てられたリソースブロックを有する複数のセルの間の経路損失を求めるように構成されており、前記セルは、前記ＷＴＲＵが現在関連づけられている特定のセルに隣接しており、前記リソース管理ユニットは、
それぞれに前記ＷＴＲＵが接続される可能性がある複数の候補セルおよびリソースブロックのそれぞれの割当てに関して前記ＷＴＲＵによって生成された干渉の量を求め、
各候補セルおよびリソースブロックの割当てのために、隣接したセルでのリソースブロックに関してセル間干渉の予期される増加を求め、かつ、
前記セル間干渉の予期される増加に基づいて、前記ＷＴＲＵに対して特定の候補セルおよびリソースブロックの割当てを用いることを指示するようにさらに構成されることを特徴とするリソース管理ユニット。
【請求項１６】
各隣接セルでの各リソースブロック上のセル間干渉の平均レベルを求め、
アップリンク上で前記ＷＴＲＵの保証されたビットレートに対応するために必要な信号対混信比ＳＩＲの値を推定し、かつ、
前記ＷＴＲＵの最大送信パワーを超えるかどうか、あるいは特定のリソースブロック割当て向けの候補セル上でセル間干渉の最大レベルを超えるかどうか、判断するようにさらに構成されることを特徴とする請求項１５に記載のリソース管理ユニット。
【国際調査報告】
2010504026.tif 000008
2010504026.tif 000009
2010504026.tif 000010